(57)【要約】【課題】  構造が簡単でしかも多点によりボールジョイントを固定することにより重量物の支持も可能な汎用の機器固定装置を提供することを課題とする。【解決手段】  本発明による機器固定装置は、ボールスティックと、該ボールスティックの一端に設けられたボールに接触摺動回転可能に配置された支持部材と、該支持部材に多点において接触できる押圧部材と、該押圧部材を前記支持部材に対して押圧する締め付け手段とからなることを特徴とする。【選択図】図１
2010071461.tif 000002
【特許請求の範囲】
【請求項１】
ボールスティックと、該ボールスティックの一端に設けられたボールに接触摺動回転可能に配置された支持部材と、該支持部材に多点において接触できる押圧部材と、該押圧部材を前記支持部材に対して押圧する締め付け手段とからなることを特徴とする機器固定装置。
【請求項２】
前記ボール表面は球面であり、前記ボールスティックの反対側において該球面が欠落していることを特徴とする請求項１記載の機器固定装置。
【請求項３】
前記押圧部材の内面が前記ボールと同心の球状であることを特徴とする請求項１または２記載の機器固定装置。
【請求項４】
前記支持部材の内面または外側表面を前記ボールと同心の球状に形成したことを特徴とする請求項１乃至３のいずれかに記載の機器固定装置。
【請求項５】
前記支持部材は、上部に前記ボールの直径よりも小さな直径の貫通孔が形成されていることを特徴とする請求項１乃至４のいずれかに記載の機器固定装置。
【請求項６】
前記支持部材は、下部に前記ボールの直径以上の直径を有する開口部が形成されていることを特徴とする請求項１乃至５のいずれかに記載の機器固定装置。
【請求項７】
前記ボールスティックは、円筒状スティックとボールとの組立体であることを特徴とする請求項１乃至６のいずれかに記載の機器固定装置。
【発明の詳細な説明】
【技術分野】
【０００１】  本発明は、プロジェクタ等の機器の角度を調整した上で位置を固定できる機器固定装置に関する。
【背景技術】
【０００２】  プロジェクタやテレビ、カメラ等の機器を、例えば天井から吊り下げて使用する場合、その位置や垂直方向の角度を調整する必要があり、その機構としては種々のタイプが提案されているが、ボールジョイントを用いたものが機構的に簡単であり数多く提案されている。【０００３】  例えば特許文献１には、ボールジョイントを用いた位置調整機能を有するプロジェクタが開示されている。この技術においては、テーブルなどの上に機器を置いて使用する場合の位置調整を目的としており、支持板から伸びた脚の先端部にボールジョイントを配し、機器内部においてボールジョイントとの接続を行っている。ボールジョイントの固定・解放については、ジョイント固定部に連結される調整レバーが設けられ、この調整レバーを操作することによりボールジョイントを回転可能とすることができる。この調整レバーはボールジョイント上部に配置されているボール押さえに連結されており、ボール押さえが片側を支点として回転降下することによりボールを押圧固定する構造である。【０００４】  一方、特許文献２においては、方向を容易に調整可能なスピーカ支持装置が開示されている。この技術では天井に固定、吊り下げられたボールスティックの先端ボールにスピーカが連結されており、角度調整ネジにより一方向からボールを押圧することにより位置を固定する構成となっている。【０００５】
【特許文献１】特開２００８−１６０５９５号公報
【特許文献２】実開平５−６５１９１号公報
【発明の開示】
【発明が解決しようとする課題】
【０００６】  上述の特許文献１においては、吊り下げを想定していないばかりか、ボールジョイントが機器内に装備されているため、その機器専用としてしか利用することができない。また、ボールスティックを固定する手段が調整レバーとそれに連結されたボール押さえであるため、固定強度の調整が困難であるという問題点がある。【０００７】  特許文献２のボールジョイントの場合、ジョイントを固定するのが一方向からのネジによる押圧だけであるので、重量のある機器を接続した場合、自重により位置や角度がずれやすいという問題点があり、またこの技術もスピーカとボールジョイントが一体であるため、他の機器に使用することはできない。【０００８】  従って、本発明は上述の問題点を解決するため、構造が簡単でしかも多点によりボールジョイントを固定することにより重量物の支持も可能な汎用の機器固定装置を提供するこどを課題とする。
【課題を解決するための手段】
【０００９】  上記課題を解決するため本発明による機器固定装置は、ボールスティックと、該ボールスティックの一端に設けられたボールに接触摺動回転可能に配置された支持部材と、該支持部材に多点において接触できる押圧部材と、該押圧部材を前記支持部材に対して押圧する締め付け手段とからなることを特徴とする。【００１０】  前記ボール表面は球面であり、前記ボールスティックの反対側において該球面が欠落していることができる。このボールスティックは、円筒状のスティックと、ボールとを別個に製作して組立てることも好適である。【００１１】  また、前記押圧部材の内面が前記ボールと同心の球状であることが望ましい。【００１２】  前記支持部材の内面または外側表面を前記ボールと同心の球状に形成することがより好適である。【００１３】  前記支持部材は、上部に前記ボールの直径よりも小さな直径の貫通孔が形成されていることが望ましい。【００１４】  前記支持部材はさらに、下部に前記ボールの直径以上の直径を有する開口部が形成されていることが好適である。
【発明の効果】
【００１５】  本発明による機器固定装置では、ボールスティックのボール表面に沿った内面を有する支持部材を使用し、この支持部材外側を押圧部材により締め付けることにより、機器を固定する支持部材を多点または面により規制することができるため、重量のある機器を取り付けた場合でも安定して位置を保持することができる。また、支持部材上部にはボールの直径より小さな直径の貫通孔を設けることにより、ボールスティックを挿通配置でき、また支持部材を垂直方向に対して傾けることが可能となる。さらに、この支持部材下部にはボール直径以上の開口部を設けることにより、ボールスティックを支持部材下方より挿通組立することが容易となる。また、ボールスティックとボールとを別個の部品として製作して組立てることにより、ボールスティックを一体で製造する場合に比べて非常に安価で提供することができる。
【発明を実施するための最良の形態】
【実施例】
【００１６】  以下、実施例に基づいて本発明を説明する。図１は本発明による機器固定装置の実施例を示す側面一部断面図である。ボールスティック１は、上部に取り付け部１６が形成され、天井に直接、または天井等からの伸縮機構に取り付けネジ１７を介して取り付け可能になされている。ボールスティック１の下端部にはボール２が連結され、ボール２の表面は球状に構成されている。この実施例の場合、ボール２の底部は本装置の機能に関係ないため、水平に切り取られている。【００１７】  ボール２の外側には支持部材４が配置されている。支持部材４は通常、釣り鐘状に形成され、下部の開口部８はボール２の直径以上の大きさで上部側の直径が徐々に小さくなる構成となっており、最上部にはボール２の直径よりも小さな直径の貫通孔７が形成されている。この支持部材４は、上部の貫通孔７にボールスティック１を挿通した形でボールスティックに組み付けられており、ボール表面と多点または面接触できる構成となっている。支持部材４の下端部には取り付け部材９が固定ネジ１０により接続されており、この取り付け部材９に機器を接続することができる。【００１８】  支持部材４の上部には押圧部材１２がボールスティック１に挿通された形で配置されている。この押圧部材１２は内面に凹部１３が形成されており、支持部材４を上方から包み込むよう構成されている。押圧部材１２上方のボールスティック１上にはネジ溝が形成され、座金１５を介して締め付けネジ１４が螺合されている。【００１９】  次に、本実施例の機能について説明する。締め付けネジ１４を上方に回転移動することにより、支持部材４は押圧部材１２の規制から解放されて、ボール２表面に沿って摺動自在となる。この状態で支持部材４を所望の位置角度に調整し、締め付けネジ１４を締め付けることにより、その位置で押圧部材１２が支持部材４を押圧規制する。【００２０】  本装置によれば、支持部材４は自重により常に上部側がボール２に接触した形で保持され、位置を調整する場合もボール２の表面に沿って摺動回転するのでブレがなく、精密な位置調整が可能となる。【００２１】  本実施例においては、支持部材の外部接触面６及び押圧部材１２の内面１３をボール表面３と同心の球状に構成してあるが、必ずしもこの構成である必要はなく、ボール２、支持部材４及び押圧部材１２が多点または面により接触できればよい。【００２２】  本実施例において、締め付けネジ１４はダブルナットとしてあるが、これは単一でも問題なく、また座金は必要に応じて使用すればよい。【００２３】  図２には、本発明による機器固定装置の第２の実施例を示す。基本的な構成は上述の第１の実施例と同じであるが、ボールスティック１を２つの部品の組立体として構成した。スティック１は下端に径大部を有する円筒状とし、半球状のボール２と例えば螺合等により一体化してボールスティックとする。ボールスティックを２つの部品の組立体とすることにより、一体で製作する場合に比べて極めて安価でかつ容易に提供することができる。
【産業上の利用可能性】
【００２４】  本発明によれば、機器を選ばず多くの機器に対応でき、重量があっても正確に位置を規定できる機器固定装置を提供できるため、プロジェクタ、スピーカ、テレビ、カメラ等の電子機器をはじめ、多くの機器の位置固定が容易にできる。
【図面の簡単な説明】
【００２５】
【図１】本発明による機器固定装置の第１の実施例を示す側面部分断面図である。
【図２】本発明による機器固定装置の第２の実施例を示す側面部分断面図である。
【符号の説明】
【００２６】１    ボールスティック
２    ボール
３    ボール表面
４    支持部材
５    支持部材内面
６    支持部材外部接触面
７    貫通孔
８    開口部
９    取り付け部材
１０  固定ネジ
１１  回転した際の取り付け部位置
１２  押圧部材
１３  押圧部材内面
１４  締め付けネジ
１５  座金
１６  取り付け部
１７  取り付けネジ
【図１】
2010071461.tif 000003
【図２】
2010071461.tif 000004